(57)【特許請求の範囲】
【請求項１】
長手方向一端側表面にバンプが形成されている木管楽器用リードであって、
バンプ形成部分の表面に歪みを検出する歪みセンサが積層され、
前記歪みセンサが、前記バンプ形成部分の面歪みを検出することを特徴とする木管楽器用リード。
【請求項２】
前記歪みセンサが、フィルム状の歪みセンサである請求項１に記載の木管楽器用リード。
【請求項３】
前記歪みセンサの長手方向の長さが、前記バンプの長さの１／５以上である請求項１又は請求項２に記載の木管楽器用リード。
【発明の詳細な説明】
【技術分野】
【０００１】
本発明は、木管楽器用リードに関する。
【背景技術】
【０００２】
楽器の音（振動）を電気信号に変換する方法として、楽器の近傍にマイクロフォンを設置し、楽器から発せられた放射音、つまり空気振動を検出する方法や、楽器に振動を検出するセンサ、いわゆるピックアップを直接設置し、楽器の特定部位の振動を検出する方法がある。
【０００３】
特に、木管楽器においてマイクロフォンを用いて電気信号を得る場合、一般的には、マイクロフォンが管体（共鳴管）の端部の開口部に設置される。しかしながら、木管楽器は、管体に形成される音孔を開放することによって管共鳴に寄与する部分の長さを変えること、つまり実質的な開放端の位置を変化させることで音階を変化させる構造である。このため、木管楽器は、音孔からも音が放射されるので、この音孔からの放射音も無視できない演奏音の一部である。従って、木管楽器の管体の開口部にマイクロフォンを設置すると、吹奏強度が一定であっても音階によって検出される信号の強度が異なるという不都合がある。
【０００４】
また、マウスピースの内部にマイクロフォンを設置した木管楽器も市販されている。しかしながら、木管楽器のマウスピース内における空気振動は、楽器の外部で聴く放射音とは異なり、低音域が大きく強調されてこもった（ｍｕｆｆｌｅｄ）音となる。このため、マウスピースの内部にマイクロフォンを設置する方法では、木管楽器の自然な音を再現できないという不都合がある。
【０００５】
木管楽器にピックアップを設ける方法としては、リードの根元（バンプよりヒール側）にリード表面の歪み（応力）を検出するセンサを設置する方法が提案されている（例えば特許第３６８０７４８号公報参照）。木管楽器のリードは、管体全体の影響がフィードバックされた波形で振動するため、比較的放射音に近い波形で振動する。
【０００６】
しかしながら、リードはバンプ形成部分が主に振動し、ヒール側の部分は主にバンプ形成部分の振動が伝達されることによって振動する。このため、リードの根元の振動波形は、木管楽器の放射音とは異なる。
【０００７】
また、前記公報に記載されるセンサは、リードの根元の小さな領域の歪みを検出している。従って、前記公報に記載の方法では、特定の周波数に対し、センサを設置した位置が振動モードの節となることにより検出感度が低くなる。このため、前記公報に記載の構成では、検出される信号の周波数特性（エンベロープ）がピークディップを有するという不都合がある。
【０００８】
また、前記公報に記載されるように、リード根元の歪みを検出する方法では吹奏におけるリード以外の振動に対しても感度が高く、管体の音孔を開閉するキイの操作等による振動や、楽器全体の動きによる加速度及び管体の振動等も検出してしまうため、検出される信号がノイズを含むという不都合もある。
【先行技術文献】
【特許文献】
【０００９】
【特許文献１】特許第３６８０７４８号公報
【発明の概要】
【発明が解決しようとする課題】
【００１０】
前記不都合に鑑みて、本発明は、放射音に近い振動を検出できる木管楽器用リードを提供することを課題とする。
【課題を解決するための手段】
【００１１】
前記課題を解決するためになされた発明は、長手方向一端側表面にバンプが形成されている木管楽器用リードであって、バンプ形成部分に歪みを検出する歪みセンサを備えることを特徴とする木管楽器用リードである。
【００１２】
当該木管楽器用リードは、バンプ形成部分に歪みを検出する歪みセンサを備えるため、演奏時に実際の放射音に近い振動をバンプ形成部分から比較的正確に検出することができる。
【００１３】
前記歪みセンサが、リードの長手方向の歪みを検出するとよい。このように、前記歪みセンサが少なくとも長手方向の歪みを検出することで、バンプ形成部分の振動の主たる成分である長手方向の振動を検出することができ、より放射音に近い振動を検出できる。
【００１４】
前記歪みセンサが、さらに短手方向の歪みを検出するとよい。このように、前記歪みセンサが短手方向の歪みも検出することで、バンプ形成部分の多様なモードの振動を検出することができ、より放射音に近い振動を検出できる。
【００１５】
前記歪みセンサが、フィルム状の歪みセンサであるとよい。このように、前記歪みセンサがフィルム状の歪みセンサであることにより、リードの振動を阻害せず、かつバンプの多様な振動を反映する検出信号を得ることができる。
【００１６】
前記歪みセンサの長手方向の長さとしては、前記バンプの長さの１／５以上が好ましい。このように、前記歪みセンサの長さがバンプの長さの１／５以上であることによって、歪みセンサの設置領域にバンプ形成部分の長さ方向に伝搬する振動を効率よく検出することができる。これによって、検出信号が放射音により近いものとなる。
【００１７】
前記歪みセンサの短手方向の幅としては、前記バンプの幅の１／２以上が好ましい。このように前記歪みセンサの幅がバンプの幅の１／２以上であることによって、歪みセンサの配設領域にバンプ形成部分の幅方向に伝搬する振動を効率よく検出することができ、検出信号が放射音により近いものとなる。
【００１８】
ここで、「バンプ」とは、リードの厚さが減じられた部分を意味し、「バンプ形成部分」とは、平面視でバンプと重複する部分全体を指す。
【発明の効果】
【００１９】
以上のように本発明の木管楽器用リードは、放射音に近い振動を検出できる。
【図面の簡単な説明】
【００２０】
【図１】本発明の一実施形態の木管楽器用リードを使用するサクソフォンを示す模式的斜視図である。
【図２】図１のサクソフォンのマウスピースを示す模式的平面図である。
【図３】図２のマウスピースの模式的側面図である。
【図４】図２のマウスピースの模式的断面図である。
【図５】図２とは異なる実施形態の木管楽器用リードを取り付けたマウスピースを示す模式的平面図である。
【図６】図２及び図５とは異なる実施形態の木管楽器用リードを取り付けたマウスピースを示す模式的平面図である。
【図７】図２、図５及び図６とは異なる実施形態の木管楽器用リードの模式的側面図である。
【図８】図２、図５、図６及び図７とは異なる実施形態の木管楽器用リードの模式的断面図である。
【図９】本発明の実施例の木管楽器用リードの検出波形とベルに設置したマイクロフォンの検出波形とを示すグラフである。
【図１０】本発明の実施例の木管楽器用リードの検出波形と木管楽器用リードに設置した加速度ピックアップの検出波形とを示すグラフである。
【図１１】本発明の実施例の木管楽器用リードの検出波形と木管楽器用リードに設置した加速度ピックアップの検出波形との周波数分布を示すグラフである。
【発明を実施するための形態】
【００２１】
以下、適宜図面を参照しつつ、本発明の実施の形態を詳説する。
【００２２】
［第一実施形態］
図１に、本発明の一実施形態に係る木管楽器用リード１を用いる木管楽器の一種であるサクソフォンを示す。
【００２３】
図１のサクソフォンは、サクソフォン本体２の一端に当該木管楽器用リード１を取り付けたマウスピース３が装着されている。
【００２４】
サクソフォン本体２は、一端にマウスピース３が装着され、他端が径を拡大するようにして開放する屈曲した管体部４を備え、この管体部４に形成される複数の音孔をそれぞれ封止可能に設置される複数のキイ５と、これらのキイ５を操作するためのレバー６等を有する。このサクソフォン本体２の構成は、従来のサクソフォン本体の構成と同様とすることができる。
【００２５】
マウスピース３は、サクソフォン本体２の一端に装着され、奏者がサクソフォン本体２に息を吹き込み、当該木管楽器用リード１を振動させるために使用される。
【００２６】
マウスピース３は、図２乃至４に示すように、概略筒状に形成され、奏者が口に咥える一端側が平たく押し潰されたような形状を有し、奏者の下唇に接触する側が大きく開口し、この開口を封止するよう当該木管楽器用リード１が設置される。当該木管楽器用リード１は、マウスピース３の外周に嵌装されるリガチャ７によってマウスピース３に固定される。これらのマウスピース３及びリガチャ７としては、従来の構成のものを使用することができる。
【００２７】
＜木管楽器用リード＞
当該木管楽器用リード１は、概略長方形板状のリード本体８と、このリード本体に設置される歪みセンサ９とを備える。また、当該木管楽器用リード１は、歪みセンサ９の表面を覆う保護層をさらに備えてもよい。
【００２８】
（リード本体）
リード本体８は、長手方向一端側表面（マウスピース３と反対側）にリード本体８の厚さを減じるバンプ１０が形成されている。リード本体８は、裏面が平坦で、バンプ非形成部分の表面が裏面と平行な長手方向の軸を有する凸状の円筒面の一部をなすよう湾曲している。このリード本体８は、バンプ非形成部分がリガチャ７で緊締されることによってマウスピース３と一体に保持される。また、リード本体８のバンプ非形成部分の表面には、後述する歪みセンサ９から伸びる配線１２を収容する溝１１が形成されている。
【００２９】
リード本体８を形成する材料としては、従来のリードと同様の材料、例えば木質材料、樹脂材料等が挙げられる。木質材料としては、葦（ケーン）材が一般的であり、他にも例えば木材、竹材等が使用可能である。樹脂材料としては、例えばポリプロピレンが使用可能である。他にも、例えば樹脂に木繊維や竹繊維が含まれる複合材料等もリード本体８を形成する材料として使用することができる。
【００３０】
バンプ１０は、典型的には、リード本体８を形成する木質材料の天然の円筒面の一部を切除することによって形成される。このバンプ１０は、一般にリード本体８のヒール側程傾斜角度が大きくなるよう湾曲し、先端側は略平面状に伸びるよう形成される。樹脂材料を用いる場合には、金型成形により最初からバンプ１０が形成されたリード本体８を形成してもよい。このバンプ１０の形状としては、従来のリードに形成されるバンプと同様とされる。
【００３１】
具体的には、アルトサックス用のリード本体８の例として、幅が約１５ｍｍ、長さが約７０ｍｍ、バンプ非形成部分の最大厚さが約３ｍｍ、バンプ１０の先端における厚さが約０．１ｍｍとされる。
【００３２】
（歪みセンサ）
歪みセンサ９は、平面視方形のフィルム状に形成され、リード本体８のバンプ形成部分の表面に積層されている。この歪みセンサ９は、リード本体８のバンプ１０の歪みセンサ９を積層した領域の長手方向及び短手方向の歪みを重畳して検出、つまり面歪みを検出する。また、歪みセンサ９は、リード本体８のバンプ形成部分に、接着剤を用いて接合される。
【００３３】
また、歪みセンサ９からは、この歪みセンサ９の検出信号を送出するための配線１２が伸び出している。この配線１２には、不図示のアンプ又は信号処理装置が接続される。
【００３４】
歪みセンサ９としては、例えば圧電歪みセンサ、金属歪みセンサ等が使用される。圧電歪みセンサとしては、例えばポリフッ化ビニリデン（ＰＶＤＦ）等の高分子圧電材料、例えばチタン酸ジルコン酸鉛（ＰＺＴ）等の圧電性セラミックスの微粉末を樹脂に分散した複合材料などの圧電材料から形成される層の両面に電極層を積層したものを使用することができる。金属歪みセンサとしては、例えば銅ニッケル合金（コンスタンタン）等の金属箔で形成されるストライプ状の金属細線の端部を交互に接続することにより金属細線を直列に接続したものを使用することができる。中でも、圧電材料としてポリフッ化ビニリデンを用いた圧電歪みセンサが好適に使用される。
【００３５】
このようなポリフッ化ビニリデンを用いた圧電歪みセンサとしては、例えばＰＥＴ等の基材シート上に、前記圧電材料層及び一対の電極層が積層されたものが市販されている。
【００３６】
歪みセンサ９の曲げ弾性率の上限としては、１０ＧＰａが好ましく、５ＧＰａがより好ましく、３ＧＰａがさらに好ましい。一方、歪みセンサ９の曲げ弾性率の下限としては、特に限定されない。歪みセンサ９の曲げ弾性率が前記上限を超える場合、リード本体８の振動特性に及ぼす影響が大きく、木管楽器の音が自然なものとならないおそれがある。なお、「曲げ弾性率」とは、ＪＩＳ−Ｋ−７１７１（２００８）に準拠し、センサ端子を開放した状態で測定される値である。
【００３７】
歪みセンサ９の厚さの上限としては、０．５ｍが好ましく、０．２５ｍｍがより好ましい。一方、歪みセンサ９の厚さの下限としては、特に限定されないが、現実的に製造可能な厚さの下限としては、例えば２０μｍである。歪みセンサ９の厚さが前記上限を超える場合、リード本体８の振動特性に悪影響を与えて音色が不自然になるおそれや、奏者に違和感を与えるおそれがある。歪みセンサ９の曲げ弾性率と厚さとを考慮した薄めのリード本体８を用い、歪みセンサ９とリード本体８とが合わさった状態の特性が従来のリードの特性になるように設定するのが、最も好ましい。
【００３８】
歪みセンサ９の当該木管楽器用リード１の長手方向の長さ（最大長さ）の下限としては、バンプ１０の短手方向中央での長手方向の長さ（最大長さ）の１／５が好ましく、１／４がより好ましく、１／３がさらに好ましい。一方、歪みセンサ９の長手方向の長さの上限としては、バンプ１０の長手方向の長さの３／４が好ましく、３／５がより好ましい。歪みセンサ９の長手方向の長さが前記下限に満たない場合、当該木管楽器用リード１の長手方向に伝搬する振動の特定の周波数帯の検出感度が不十分となるおそれ、つまり周波数特性のエンベロープにピークディップが生じるおそれがある。逆に、歪みセンサ９の長手方向の長さが前記上限を超える場合、奏者の唇に接触し易くなり違和感を与えるおそれや、息の流れを変えることにより当該木管楽器用リード１の振動特性に悪影響を与えるおそれがある。
【００３９】
当該木管楽器用リード１の長手方向の振動について詳しく説明すると、当該木管楽器用リード１は、バンプ１０のヒール側が固定され、バンプ形成部分が弾性変形可能な片持ち梁と考えることができる。バンプ形成部分における振動伝搬速度が一定であると仮定すると、当該木管楽器用リード１のバンプ形成部分のヒール側端部は、各振動モードにおける振動の節となり、バンプ形成部分他端（先端）は、各振動モードにおける振動の腹となる。また、２次振動モードでは、バンプ形成部分ヒール側からその長さの１／３の位置が振動の腹となり、３次振動モードでは、バンプ形成部分ヒール側からその長さの１／５の位置及び３／５の位置が振動の腹となる。従って、これらの振動の腹となる位置を含む領域に歪みセンサ９を設置することにより、各振動モードの振動を効率よく検出できる。なお、前記振動の腹の位置は絶対的なものではなく、例えば当該木管楽器用リード１の材料の不均一性、バンプ１０の形状等の影響によりばらつく。
【００４０】
リード本体８の幅方向中央における先端縁から歪みセンサ９の先端縁までの距離の下限としては、バンプ１０の長さの１／３が好ましく、２／５がより好ましい。一方、リード本体８の幅方向中央における先端縁から歪みセンサ９の先端縁までの距離の上限としては、バンプ１０の長さの３／５が好ましく、１／２がより好ましい。リード本体８の幅方向中央における先端縁から歪みセンサ９の先端縁までの距離が前記下限に満たない場合、歪みセンサ９が奏者に違和感を与えるおそれがある。逆に、リード本体８の幅方向中央における先端縁から歪みセンサ９の先端縁までの距離が前記上限を超える場合、歪みセンサ９の長手方向の長さを確保できず、検出信号と放射音との差異が大きくなるおそれがある。
【００４１】
歪みセンサ９の当該木管楽器用リード１の短手方向の幅（最大幅）の下限としては、バンプ１０の短手方向の幅（最大幅）の１／２が好ましい。一方、歪みセンサ９の短手方向の幅の上限としては、特に限定されず、リード本体８からはみ出さなければよい。歪みセンサ９の短手方向の幅が前記下限以上であることで、全ての振動モードの振動を効率よく検出できる。
【００４２】
また、歪みセンサ９の短手方向の配置としては、リード本体８の短手方向中央に配置することが好ましい。
【００４３】
＜利点＞
当該木管楽器用リード１は、木管楽器（サクソフォン）の演奏時に、キイ５の開閉操作によって有効な共鳴長さが変化する管体部４の有効部分の一端に常に位置する。このため、キイ５の開閉によって振幅が変化しないので、歪みセンサ９によって検出される振動の強度が、音階にかかわらず吹奏強度に略比例する。
【００４４】
また、当該木管楽器用リード１は、管体部４の共鳴部分の一端に位置することによって、管体部４の全ての部分の影響がフィードバックされ、実際の放射音に近い振動波形で振動する。このため当該木管楽器用リード１は、歪みセンサ９によって放射音に近い振動を検出できる。
【００４５】
また、当該木管楽器用リード１は、歪みセンサ９がリード本体８のバンプ形成部分の長手方向及び短手方向の歪みを重畳して検出つまり、バンプ１０の面歪みを検出するので、リード本体８のバンプ１０の歪みセンサ９が積層されている範囲の各点の振動波形を重畳した検出波が得られる。このため、従来のピックアップのように一点で振動を検出する場合と異なり、特定の周波数に対する感度の落ち込みがなく、周波数特性にピークディップを生じない。
【００４６】
また、当該木管楽器用リード１は、リード本体８のバンプ形成部分のたわみ、つまりバンプ１０上の異なる地点間の相対変位を検出する。このため、リード本体８全体の絶対位置が変化しても、そのような変位が検出されない。また、キイ５の操作による管体部４の振動は、マウスピース３を介してリード本体８に伝達されるので、バンプ１０上では略同位相となり、歪みセンサ９によっては検出され難い。これにより、当該木管楽器用リード１は、検出信号中のノイズが少ない。
【００４７】
また、当該木管楽器用リード１は、放射音に近い振動を検出できるので、検出信号の加工による音色の補正や音響効果の付与が容易である。つまり、当該木管楽器用リード１の検出信号は、比較的小さい演算負荷で様々な加工を行うことができる。
【００４８】
具体的には、例えば歪みセンサ９により当該木管楽器用リード１の振動を検出すると共に、木管楽器から離れた位置に設置したマイクロフォンによって放射音を信号化する。そして、当該木管楽器用リード１の歪みセンサ９が検出した信号とマイクロフォンによって放射音を信号化した信号との間の伝達関数を算出することにより、応答フィルタを作成する。このようにして作成した応答フィルタを用いて演奏中の歪みセンサ９の検出信号を補正することで、木管楽器から離れた位置に設置したマイクロフォンで収音したような電気信号を生成することが可能となる。
【００４９】
また、同一の当該木管楽器用リード１を異なるサクソフォン本体２に使用して、同様の応答フィルタを作成することで、サクソフォン本体毎の管共鳴の特性の違いの確認やその違いの補正をすることができる。つまり、より高価で音のよいサクソフォン本体２の管共鳴の特性を付加するよう補正した応答フィルタを作成すれば、安価なサクソフォン本体を使用しても、歪みセンサ９の検出信号をフィルタ処理した信号をスピーカやヘッドフォンで空気振動に変換することで、よりよい音を聞くことができる。
【００５０】
また、例えばコンサートホールの客席にマイクロフォンを配置して応答フィルタの作成を行うことで、コンサートホールの建物の反響を含む応答フィルタを作成できる。従って、同様に様々な場所の音響効果を含む応答フィルタを作成することによって、実際に足を運ばなくても様々な場所での演奏を体験して臨場感を楽しむことができる。また、当該木管楽器用リード１を用いて、マイクロフォンの音響効果を再現する応答フィルタを作成することもできる。
【００５１】
［その他の実施形態］
前記実施形態は、本発明の構成を限定するものではない。従って、前記実施形態は、本明細書の記載及び技術常識に基づいて前記実施形態各部の構成要素の省略、置換又は追加が可能であり、それらは全て本発明の範囲に属するものと解釈されるべきである。
【００５２】
例えば、本発明では、図５に示す木管楽器用リード１ａのように、歪みセンサ９の設置位置を適宜選択することができる。
【００５３】
このように、歪みセンサ９の設置位置を変更することによって検出信号の波形、つまり空気振動に変換した場合の音色を選択することができる。具体的には、歪みセンサ９の設置位置を先端側に移動することによって、より低次の振動モードの腹の振動を効率よく検出できるようになり、検出感度が大きくなると共に低音域のゲインが大きくなる。
【００５４】
また、本発明では、図６に示す木管楽器用リード１ｂのように、歪みセンサ９の形状及び大きさを変更してもよい。
【００５５】
このように、歪みセンサ９の形状及び大きさによっても、検出感度及び音色を選択することができる。具体的には、歪みセンサ９の幅を大きくすることによって、リード本体８のねじれを検出し易くなり、高音域のゲインが大きくなる。
【００５６】
本発明は、図７に示すように、長手方向一端側の表面にバンプ１０が形成された概略長方形板状のリード本体８と、このリード本体８のバンプ形成部分の裏面に設置される歪みセンサ９とを備える木管楽器用リード１ｃを含む。
【００５７】
このように、歪みセンサ９をバンプ形成部分の裏面に設置することによって、歪みセンサ９が奏者の唇に触れることがないため、歪みセンサ９の設置位置の自由度が高く、歪みセンサの設置位置による音色の選択範囲が広い。
【００５８】
また、本発明では、図８に示す木管楽器用リード１ｄのように、リード本体８に形成した凹部内に歪みセンサ９を設置してもよい。
【００５９】
このように、リード本体８に歪みセンサ９を埋め込むことによって、歪みセンサ９がサクソフォン本体２内の管共鳴に影響を与えないようにできる。また、この場合リード本体８の凹部内に樹脂を充填することにより、管共鳴に影響するリード本体８の裏面の形状を従来のリードと同様に平坦にすることができる。
【００６０】
当該木管楽器用リードにおいて、歪みセンサの積層方法は接着に限られない。例えば、歪みセンサを形成する材料をリード本体に塗工、蒸着等の方法により順に積層することにより歪みセンサを形成してもよい。また、リード本体を樹脂でモールド形成する場合には、金型内に歪みセンサを配置して、インサート成形してもよい。このように、接着剤を使用しないことにより、損失を低減し、特に高音域のゲイン低下を防止できる。
【００６１】
当該木管楽器用リードにおいて、歪みセンサは、面歪みを検出できることが好ましいが、少なくとも一方向の歪みを検出できればよい。一方向の歪みを検出する場合、長手方向の歪みを検出することが好ましいが、短手方向又はこれに傾斜する方向の歪みを検出してもよい。
【００６２】
当該木管楽器用リードは、サクソフォンだけでなく、リードを使用する他の木管楽器に広く利用することができる。また、本発明は、２枚のリードを有する木管楽器にも適用することが可能である。
【実施例】
【００６３】
以下、実施例に基づき本発明を詳述するが、この実施例の記載に基づいて本発明が限定的に解釈されるものではない。
【００６４】
［実施例１］
市販のテナーサックス用リードのバンプ形成部分にポリフッ化ビニリデンを圧電材料とするフィルム状の歪みセンサを貼り付けることにより、本発明に係る木管楽器用リードの実施例１を作成した。使用したリードは、バンプの長さが４２ｍｍであり、バンプの幅が１６ｍｍであった。また、著着した歪みセンサは、リード長手方向の長さが２５ｍｍであり、リード短手方向の幅が１０ｍｍであった。また、歪みセンサは、バンプのヒール側端部から２ｍｍの隙間を空けて貼り付けした。
【００６５】
前記実施例１のリードは、マウスピースに固定してテナーサックスに装着することにより、振動波形を検出する後述の各実験を行った。
【００６６】
［比較例１］
また、比較例１として、同じテナーサックスのベル（管体部のマウスピースと反対側の端部開口部）にコンデンサマイクロフォンを設置し放射音を検出できるようにした。
【００６７】
［比較例２］
また、比較例２として、実施例１の作成に使用したものと同じ市販品のテナーサックス用リードを用意し、実施例１の歪みセンサの貼り付け位置と同じ位置に、市販の加速度ピックアップを貼り付けしたものを作成した。
【００６８】
［実験１］
実験１として、前記実施例１のリードを使用するテナーサックスを一定の強さ（ｍｆ：メゾフォルテ）で演奏し、キイ操作によって検出信号がどのように変化するかを確認した。キイ操作としては、低音域の「ド」の音階から、「ミ」、「ソ」、「ド」、「ミ」、「ソ」、「ド」の順に音階を上げた。
【００６９】
また、比較例１を用い、同様の演奏による検出信号の変化を確認した。
【００７０】
この実験１で確認された検出信号の変化を図９に示す。なお、図９において、上の波形が実施例１のものであり、下の波形が比較例１のものである。
【００７１】
図示するように、実施例１は、音階によっては検出信号の振幅、つまりスピーカから出力した場合の音圧レベルが大きく変化しなかった。一方、比較例１は、中音域の「ド」及び高音域の「ド」の音圧レベルが他の音階に比べて著しく小さくなった。
【００７２】
この実験１により、本発明の木管楽器用リードは、どの音階でも、吹奏強度に比例する音圧の検出信号が得られることが確認できた。
【００７３】
［実験２］
続いて、実験２として、実施例１及び比較例２のリードを使用したテナーサックスを用い、先ず、息を吹き込むことなくキイ操作を行い、続いて、一定の強さ（ｍｆ：メゾフォルテ）で息を吹き込んで同様のキイ操作を行って実際に音を出して演奏した。これにより得られた検出信号を図１０に示す。
【００７４】
図示するように、実施例１のリードを用いた場合、キイ操作のみによる検出信号、つまりキイ操作音によるノイズは、音を出して演奏したときの信号と比べて非常に小さいものであった。一方、比較例２のリードを用いた場合、キイ操作音によるノイズが演奏時の信号と比較して無視できない程大きなものであった。
【００７５】
この実験２により、本発明の木管楽器用リードは、キイ操作によるノイズが小さく、主として放射音に近い振動を検出できることが確認できた。
【００７６】
［実験３］
さらに、実験３として、実施例１及び比較例２のリードを使用したテナーサックスを同じ音階で演奏し、検出信号をフーリエ変換して周波数毎の音圧レベルを算出したものを図１１に示す。
【００７７】
図示するように、実施例１では、その波形のエンベロープ（ピークを繋ぐ包絡線の形状）が低音域では一定のレベルであり、高音域で一定割合でなだらかに低下している。これに対して、比較例２では、低音域のピークが小さく、エンベロープが不規則に増減している。
【００７８】
この実験３により、本発明の木管楽器用リードは、ピークディップがなく比較的フラットな周波数特性を有しており、歪みのない振動を検出できることが確認できた。
【産業上の利用可能性】
【００７９】
本発明は、リードを用いる多様な木管楽器の音を検出するために利用できる。
【符号の説明】
【００８０】
１，１ａ，１ｂ，１ｃ，１ｄ  木管楽器用リード
２  サクソフォン本体
３  マウスピース
４  管体部
５  キイ
６  レバー
７  リガチャ
８  リード本体
９  歪みセンサ
１０  バンプ
１１  溝
１２  配線
【図１】
0006428140.tif 000002
【図２】
0006428140.tif 000003
【図３】
0006428140.tif 000004
【図４】
0006428140.tif 000005
【図５】
0006428140.tif 000006
【図６】
0006428140.tif 000007
【図７】
0006428140.tif 000008
【図８】
0006428140.tif 000009
【図９】
0006428140.tif 000010
【図１０】
0006428140.tif 000011
【図１１】
0006428140.tif 000012